(57)【要約】【課題】ファクシミリ画情報の転送を簡便に行うことのできるネットワーク端末装置を提供することを目的としている。【解決手段】ネットワークファクシミリ装置ＦＸに対して、画情報送信を依頼する送信ユーザを識別することができるので、送信ユーザ別に適宜なサービスを提供することができるという効果を得る。例えば、画情報送信時に送付状画情報を１ページ目に送信したり、送信結果を、連絡先情報ファイルに記載されている宛先へ送信することができるという効果も得る。【選択図】          図３
2004200898.tif 000002
【特許請求の範囲】
【請求項１】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に、送信元識別情報をその識別情報に設定した送信者別下位共有領域を設定し、
その送信者別下位共有領域には、宛先識別情報をその識別情報に設定した宛先別下位共有領域を設定し、
その宛先別下位共有領域に送信画情報が保存されると、その宛先別下位共有領域に設定された識別情報を宛先識別情報として取得し、保存された送信画情報を、その取得した宛先識別情報の宛先へ送信するとともに、当該宛先別下位共有領域を含む上記送信者別下位共有領域に設定された識別情報を送信者識別情報として取得し、通信管理動作を行うことをことを特徴とするネットワーク端末装置。
【請求項２】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に、送信元識別情報をその識別情報に設定した送信者別下位共有領域を設定し、
その送信者別下位共有領域には、宛先識別情報をその識別情報に設定した宛先別下位共有領域を設定するとともに、付加画情報を保存し、
その宛先別下位共有領域に送信画情報が保存されると、その宛先別下位共有領域に設定された識別情報を宛先識別情報として取得し、保存された送信画情報、および、当該宛先別下位共有領域を含む上記送信者別下位共有領域に保存されている上記付加画情報を、その取得した宛先識別情報の宛先へ送信するとともに、当該宛先別下位共有領域を含む上記送信者別下位共有領域に設定された識別情報を送信者識別情報として取得し、通信管理動作を行うことをことを特徴とするネットワーク端末装置。
【請求項３】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に、送信元識別情報をその識別情報に設定した送信者別下位共有領域を設定し、
その送信者別下位共有領域には、宛先識別情報をその識別情報に設定した宛先別下位共有領域を設定するとともに、送信者の連絡先情報を含む所定の情報を記録した送信者情報ファイルを保存し、
その宛先別下位共有領域に送信画情報が保存されると、その宛先別下位共有領域に設定された識別情報を宛先識別情報として取得し、保存された送信画情報を、その取得した宛先識別情報の宛先へ送信するとともに、当該宛先別下位共有領域を含む上記送信者別下位共有領域に設定された識別情報、および、当該送信者別下位共有領域に保存された上記送信者情報ファイルを取得し、通信管理動作および送信結果通知を行うことをことを特徴とするネットワーク端末装置。
【発明の詳細な説明】
【０００１】
【発明の属する技術分野】
本発明は、ネットワークを介してデータをやりとりするネットワーク通信機能と、公衆回線を介して行われるファクシミリ伝送手順により画情報をやりとりするファクシミリ通信機能を備えたネットワーク端末装置に関する。
【０００２】
【従来の技術】
従来、ネットワークファクシミリ装置等のネットワーク端末装置では、例えば、受信したファクシミリ画情報を他の端末装置（例えば、パーソナルコンピュータ装置等）で受け取るようにする場合には、電子メールを用いて行っていた。
【０００３】
また、ネットワーク上において、様々な転送プロトコルを使用してデータを保存する装置（特許文献１参照）も提案されている。
【０００４】
【特許文献１】
特開２００１−１１１９３１号公報
【０００５】
【発明が解決しようとする課題】
ところで、電子メールを用いて画情報を転送する場合には、そのネットワーク端末装置が属するネットワークにメールサーバが必要となる。
【０００６】
このようにして、従来のネットワーク端末装置では、画情報を転送する際に電子メールを用いているので、ネットワークにメールサーバが必要となり、小規模な事業所等では、メールサーバを構築したり、設定する等の煩雑な設定作業が発生していた。
【０００７】
本発明は、かかる実情に鑑みてなされたものであり、ファクシミリ画情報の転送を簡便に行うことのできるネットワーク端末装置を提供することを目的としている。
【０００８】
【課題を解決するための手段】
本発明は、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に、送信元識別情報をその識別情報に設定した送信者別下位共有領域を設定し、その送信者別下位共有領域には、宛先識別情報をその識別情報に設定した宛先別下位共有領域を設定し、その宛先別下位共有領域に送信画情報が保存されると、その宛先別下位共有領域に設定された識別情報を宛先識別情報として取得し、保存された送信画情報を、その取得した宛先識別情報の宛先へ送信するとともに、当該宛先別下位共有領域を含む上記送信者別下位共有領域に設定された識別情報を送信者識別情報として取得し、通信管理動作を行うようにしたものである。
【０００９】
また、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に、送信元識別情報をその識別情報に設定した送信者別下位共有領域を設定し、その送信者別下位共有領域には、宛先識別情報をその識別情報に設定した宛先別下位共有領域を設定するとともに、付加画情報を保存し、その宛先別下位共有領域に送信画情報が保存されると、その宛先別下位共有領域に設定された識別情報を宛先識別情報として取得し、保存された送信画情報、および、当該宛先別下位共有領域を含む上記送信者別下位共有領域に保存されている上記付加画情報を、その取得した宛先識別情報の宛先へ送信するとともに、当該宛先別下位共有領域を含む上記送信者別下位共有領域に設定された識別情報を送信者識別情報として取得し、通信管理動作を行うようにしたものである。
【００１０】
また、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に、送信元識別情報をその識別情報に設定した送信者別下位共有領域を設定し、その送信者別下位共有領域には、宛先識別情報をその識別情報に設定した宛先別下位共有領域を設定するとともに、送信者の連絡先情報を含む所定の情報を記録した送信者情報ファイルを保存し、その宛先別下位共有領域に送信画情報が保存されると、その宛先別下位共有領域に設定された識別情報を宛先識別情報として取得し、保存された送信画情報を、その取得した宛先識別情報の宛先へ送信するとともに、当該宛先別下位共有領域を含む上記送信者別下位共有領域に設定された識別情報、および、当該送信者別下位共有領域に保存された上記送信者情報ファイルを取得し、通信管理動作および送信結果通知を行うようにしたものである。
【００１１】
【発明の実施の形態】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のワークステーション装置ＷＳ１〜ＷＳｎ、および、ネットワークファクシミリ装置ＦＸが接続されているとともに、ルータ装置ＲＴを介してインターネットへ接続されている。したがって、ワークステーション装置ＷＳ１〜ＷＳｎ、および、ネットワークファクシミリ装置ＦＸは、インターネットを介し、他の適宜な端末装置との間でデータをやりとりすることができる。
【００１４】
また、ワークステーション装置ＷＳ１〜ＷＳｎには、他の端末装置（例えば、ネットワークファクシミリ装置ＦＸ）に設けられている共有領域にアクセスできるようにするファイル共有領域アクセス機能（ＳＭＢクライアント機能；後述）や、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１５】
また、ネットワークファクシミリ装置ＦＸは、ワークステーション装置ＷＳ１〜ＷＳｎから自端末に設けた共有領域をアクセス可能にするファイル共有機能（ＳＭＢサーバ機能；後述）、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００１６】
図２は、ネットワークファクシミリ装置ＦＸの構成例を示している。
【００１７】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００１８】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００１９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２１】
網制御装置１１は、このネットワークファクシミリ装置ＦＸをアナログ公衆回線網ＰＳＴＮに接続するためのものであり、自動発着信機能を備えている。
【００２２】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２４】
また、網制御装置１１とグループ３ファクシミリモデム１０との間のデータのやりとりは、直接行なわれている。
【００２５】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２６】
また、ネットワークファクシミリ装置ＦＸに設けた共有領域へのアクセスの際には、ＳＭＢ（Ｓｅｒｖｅｒ  Ｍｅｓｓａｇｅ  Ｂｌｏｃｋ）プロトコルが用いられる。
【００２７】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ
Ｍａｉｌ  Ｅｘｔｅｎｓｉｏｎ）形式）などでそれぞれ規定されている。
【００２８】
また、ＳＭＢは、マイクロソフト社のＷｉｎｄｏｗｓ  ＮＴ／ＸＰやＷｉｎｄｏｗｓ  ９５／９８／２０００など（以下、「Ｗｉｎｄｏｗｓ系のＯＳ」という）でネットワークを通じてファイル共有やプリンタ共有を実現するプロトコルであり、下位のプロトコルとしてＮｅｔＢＩＯＳを使う、いわゆるＭＳ−ＤＯＳ時代のＬＡＮ  Ｍａｎａｇｅｒから使われているアプリケーションソフトである。ＳＭＢプロトコルはマイクロソフト社が主に開発し、現在でも改良を続けている独自のプロトコルであるが、これを正式にドキュメント化して、インターネット上などでファイル共有サービスとして利用できるようにしたものをＣＩＦＳ（Ｃｏｍｍｏｎ  Ｉｎｔｅｒｎｅｔ  Ｆｉｌｅ  Ｓｙｓｔｅｍ）プロトコルと呼び、その仕様が公開されている。ＵＮＩＸ系のＯＳ環境（サンマイクロシステム社のＳｏｌａｌｉｓや、Ｌｉｎｕｘ、ＦｒｅｅＢＳＤおよびＮｅｔ−ＢＳＤ等のいわゆるＰＣ−Ｕｎｉｘ）では、このＳＭＢ／ＣＩＦＳプロトコルを実装したファイル／プリンタ共有サービスであるＳａｍｂａが利用できる。
【００２９】
なお、「Ｕｎｉｘ」は、Ｔｈｅ  Ｏｐｅｎ  Ｇｒｏｕｐ  Ｌｔｄ．が独占的にライセンスしている米国ならびに他の国における登録商標である。
【００３０】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆回線網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーション装置ＷＳより受信した画情報を、指定されたアナログ公衆回線網ＰＳＴＮのグループ３ファクシミリ装置へ転送する転送サービス機能等を備えている。
【００３１】
また、自端末宛に受信した電子メールについては、本文情報に配置される画情報を取り出して、記録出力するようにしている。
【００３２】
また、本実施例では、ワークステーション装置ＷＳ１〜ＷＳｎに、Ｗｉｎｄｏｗｓ系のＯＳをインストールしておくだけで、ＳＭＢクライアント機能を利用できるので、ネットワークファクシミリ装置ＦＸに設けられた共有領域を適宜にアクセスすることができるので、ＳＭＢクライアント機能を備えるために他の特別なソフトウェアをインストールする必要がなく、非常に便利である。
【００３３】
また、本実施例では、ネットワークファクシミリ装置ＦＸに設けた共有領域には、図３に示すように、送信ユーザ別のフォルダ（「ディレクトリ」ともいう）が形成され、その送信ユーザフォルダに、宛先別の宛先フォルダが形成されるとともに、送付状画情報、および、連絡先情報ファイルが保存される。また、おのおのの宛先フォルダには、送信画情報が保存される。
【００３４】
ここで、共有領域は、ローカルエリアネットワークＬＡＮを介して、「￥￥Ｓｅｒｖｅｒ￥Ｓｈａｒｅ」という名称の共有フォルダとしてアクセス可能である。この場合、「Ｓｅｒｖｅｒ」は、ホスト名であり、「Ｓｈａｒｅ」は、共有フォルダのトップレベルの識別名（共有フォルダ名）である。
【００３５】
また、送信ユーザフォルダには、「ＮＡＭＥ＿ＵＳＥＲ１」、「ＮＡＭＥ＿ＵＳＥＲ２」・・・というフォルダ名が付与される。通常、それぞれの「ＵＳＥＲ１」、「ＵＳＥＲ２」は、具体的なユーザ名が適用される。
【００３６】
また、宛先フォルダには、「ＦＡＸ＿（宛先＃１）」、「ＦＡＸ＿（宛先＃２）」、・・・、「ＦＡＸ＿（宛先＃ｎ）」というフォルダ名が付与される。また、宛先フォルダ名の部分「（宛先＃１）」は、宛先ファクシミリの電話番号の内容が付与される。
【００３７】
また、送信ユーザフォルダに保存される送付状画情報のファイル名は、「Ｃｏｖｅｒｐａｇｅ．ｔｉｆ」であり、連絡先情報ファイルのファイル名は、「Ｓｅｎｄｅｒｉｎｆｏ．ｔｘｔ」である。
【００３８】
また、この場合の連絡先情報ファイルは、テキストファイルであり、送信ユーザへ送信結果等を通知するために適用される電子メールアドレスの記載が含まれる。また連絡手段として、電子メール以外を用いる場合には、その連絡手段に対応した連絡先の内容が記載される。例えば、送信結果をグループ３ファクシミリ装置へ通知するのであれば、送信結果を受信希望するグループ３ファクシミリ装置の宛先電話番号の内容を記載することができる。また、通信手段の種別と、当該通信手段の種別に対応した連絡先情報（電子メールアドレスや宛先電話番号等）とを対にして複数記載し、送信ユーザの指定により、所望するものを選択させるようにすることもできる。
【００３９】
以上の構成で、ローカルエリアネットワークＬＡＮを介して、ワークステーション装置ＷＳより、いずれかの宛先フォルダに送信画情報が保存されると、その宛先フォルダの名称を参照して宛先電話番号を取得し、その取得した宛先電話番号へ発呼し、グループ３ファクシミリ伝送手順を用いて、保存された送信画情報を送信する。
【００４０】
また、そのとき、送信画情報が保存された宛先フォルダに送付状画情報が保存されている場合には、１ページ目の画情報として、その送付状画情報を送信し、送信画情報は、２ページ目以降の画情報として送信される。
【００４１】
また、送信画情報が保存された宛先フォルダに連絡先情報ファイルが保存されている場合には、そのときの送信結果を通知する電子メールを、連絡先情報ファイルに記載されている電子メールアドレスへ送信する。
【００４２】
このようにして、本実施例では、ネットワークファクシミリ装置ＦＸに対して、画情報送信を依頼する送信ユーザを識別することができるので、送信ユーザ別に適宜なサービスを提供することができる。例えば、画情報送信時に送付状画情報を１ページ目に送信したり、送信結果を、連絡先情報ファイルに記載されている宛先へ送信することができる。
【００４３】
図４は、ネットワークファクシミリ装置ＦＸが実行する画情報送信時の処理の一例を示している。
【００４４】
まず、ネットワークファクシミリ装置ＦＸは、いずれかのワークステーション装置ＷＳのユーザより、ＳＭＢ要求を受信することを監視している（判断１０１のＮＯループ）。
【００４５】
ＳＭＢ要求を受信すると、そのときのユーザについて、アクセス権を検査し（処理１０２）、要求されたアクセスを許可するかどうかを調べる（判断１０３）。判断１０３の結果がＮＯになるときには、そのときのＳＭＢ要求を受け付けず、エラー終了する。
【００４６】
また、判断１０３の結果がＹＥＳになるときには、そのときに受信したＳＭＢ要求の種別を判別して（処理１０４）、ファイル保存であったかどうかを調べる（判断１０５）。判断１０５の結果がＮＯになるときには、そのときに要求された処理を行う（処理１０６）。
【００４７】
また、判断１０５の結果がＹＥＳになるときには、指定された領域に、受信ファイルを保存する（処理１０７）。この場合の指定される領域は、上述した送信ユーザフォルダのいずれかの宛先フォルダである。次いで、保存した画情報ファイルについて、画情報送信処理を行い（処理１０８）、送信終了した画情報ファイルを削除する（処理１０９）。
【００４８】
そして、そのときに画情報ファイルを保存した宛先フォルダの上位の送信ユーザフォルダに、連絡先情報（Ｓｅｎｄｅｒｉｎｆｏ．ｔｘｔ）が保存されているかどうかを調べる（判断１１０）。判断１１０の結果がＹＥＳになるときには、処理１０８の送信結果を通知するための送信結果通知処理（処理１１１）を実行して、この動作を終了する。また、判断１１０の結果がＮＯになるときには、処理１１１を実行しない。
【００４９】
図５は、画情報送信処理（処理１０８）の一例を示している。
【００５０】
まず、送信画情報ファイルが保存された宛先フォルダのフォルダ名を読み込み、その「（宛先＃１）」の部分を抽出して、宛先情報を取得する（処理２０１）。
【００５１】
次いで、処理２０１で取得した宛先情報である宛先電話番号へ、網制御装置１１を用いて発呼し（処理２０２）、所定の伝送前手順処理を行い、相手端末との間で通信機能の交渉等を行う（処理２０３）。
【００５２】
ここで、そのときに画情報ファイルを保存した宛先フォルダの上位の送信ユーザフォルダに、送付状画情報（Ｃｏｖｅｒｐａｔｅ．ｔｉｆ）が保存されているかどうかを調べる（判断２０４）。
【００５３】
判断２０４の結果がＹＥＳになるときには、１ページ目の画情報として、送付状画情報を送信し（処理２０５）、所定のメッセージ後手順を行う（処理２０６）。また、判断２０４の結果がＮＯになるときには、処理２０５，２０６を行わない。
【００５４】
次に、本文の送信ページ数を管理するためのカウンタＰに値「１」を代入し（処理２０７）、Ｐページ目の画情報を送信する（処理２０８）。次いで、次の送信ページがあるかどうかを調べ（判断２０９）、判断２０９の結果がＹＥＳになるときには、所定のメッセージ後手順を実行し（処理２１０）、カウンタＰの値を１つ増やして（処理２１１）、処理２０８へ、戻り、次のページの画情報の送信動作を行う。
【００５５】
また、すべてのページの送信を終了した場合で、判断２０９の結果がＮＯになるときには、メッセージ後信号として信号ＥＯＰを送出し（処理２１２）、宛先端末より応答信号を受信すると（処理２１３）、信号ＤＣＮを送出し（処理２１４）、回線を復旧して（処理２１５）、一連の画情報送信動作を終了する。
【００５６】
図６は、送信結果通知処理（処理１１１）の一例を示している。
【００５７】
まず、通知先情報ファイルに記載されている送信ユーザの電子メールアドレスと、自端末に設定されている電子メールアドレス等を用いて所定の電子メールのヘッダ情報を作成し（処理３０１）、送信結果を通知する本文情報を作成する（処理３０２）。
【００５８】
そして、処理３０１で作成したヘッダ情報と、処理３０２で作成した本文情報からなる電子メールを、図示しないメールサーバへ送信し（処理３０３）、この処理を終了する。
【００５９】
なお、上述した実施例では、画情報の通信機能としてグループ３ファクシミリ伝送機能を備えている場合について説明したが、それ以外の通信機能、例えば、グループ４ファクシミリ通信機能などを備えている場合についても、本発明を同様にして適用することができる。
【００６０】
また、本発明は、画情報の通信機能（送信機能）を備えているネットワーク通信端末装置（いわゆる、ネットワークスキャナ装置やＭＦＰ等）についても、同様にして適用することができる。
【００６１】
【発明の効果】
以上説明したように、本発明によれば、ネットワークファクシミリ装置に対して、画情報送信を依頼する送信ユーザを識別することができるので、送信ユーザ別に適宜なサービスを提供することができるという効果を得る。例えば、画情報送信時に送付状画情報を１ページ目に送信したり、送信結果を、連絡先情報ファイルに記載されている宛先へ送信することができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ネットワークファクシミリ装置ＦＸに設けた共有領域の構成の一例を示した概略図。
【図４】ネットワークファクシミリ装置ＦＸが実行する画情報送信時の処理の一例を示したフローチャート。
【図５】画情報送信処理（処理１０８）の一例を示したフローチャート。
【図６】送信結果通知処理（処理１１１）の一例を示したフローチャート。
【符号の説明】
１  システム制御部
２  システムメモリ
３  パラメータメモリ
【図１】
2004200898.tif 000003
【図２】
2004200898.tif 000004
【図３】
2004200898.tif 000005
【図４】
2004200898.tif 000006
【図５】
2004200898.tif 000007
【図６】
2004200898.tif 000008